(57)【要約】【課題】電線の被覆を剥離するときに、第一切断刃と第二切断刃との位置関係が左右方向にずれないようにし、一度の剥離で被覆を確実に剥離することができ、さらには使用を重ねても第一切断刃の位置調整や修理に多大な時間及び多額な費用の必要のない電線被覆ストリッパを提供する。【解決手段】枢軸３を挿通された一対の第一把持部１１及び第二把持部２１の操作により、互いに離れて揺動可能である対向する第一作用腕１２及び第二作用腕２２と、前記第一作用腕に固設された第一切断刃１７と、前記第一切断刃とで電線の被覆を剥離する第二切断刃１６と、前記第一切断刃を前記第一作用腕に固設する第一支持板１３とを具備する電線被覆ストリッパであって、前記第一支持板に一体又は別体として突設された規制片１８と、前記第一切断刃に凹設又は穿設され、前記規制片と嵌合可能な規制片第一切断刃嵌合部１７２とを有する電線被覆ストリッパで解決した。【選択図】図１
2014143893.tif 000002
【特許請求の範囲】
【請求項１】
枢軸（３）を挿通された一対の第一把持部（１１）及び第二把持部（２１）の操作により、互いに離れて揺動可能である対向する第一作用腕（１２）及び第二作用腕（２２）と、
前記第一作用腕に固設された第一切断刃（１７）と、
前記第一切断刃とで電線の被覆を剥離する第二切断刃（１６）と、
前記第一切断刃を前記第一作用腕に固設する第一支持板（１３）と
を具備する電線被覆ストリッパであって、
前記第一支持板に一体又は別体として突設された規制片（１８）と、
前記第一切断刃に凹設又は穿設され、前記規制片と嵌合可能な規制片第一切断刃嵌合部（１７２）とを
有することを特徴とする電線被覆ストリッパ。
【請求項２】
枢軸を挿通された一対の第一把持部（１１）及び第二把持部（２１）の操作により、互いに離れて揺動可能である対向する第一作用腕（１２）及び第二作用腕（２２）と、
前記第一作用腕に固設された第一切断刃（１７）と、
前記第一切断刃とで電線の被覆を剥離する第二切断刃（１６）と、
前記第一切断刃を前記第一作用腕とで固設する第一支持板（１３）と
を具備する電線被覆ストリッパであって、
前記第一切断刃に一体又は別体として突設された規制片（１８）と、
前記第一支持板に凹設又は穿設され、前記規制片と嵌合可能な規制片第一支持板嵌合部とを
有することを特徴とする電線被覆ストリッパ。
【請求項３】
枢軸を挿通された一対の第一把持部（１１）及び第二把持部（２１）の操作により、互いに離れて揺動可能である対向する第一作用腕（１２）及び第二作用腕（２２）と、
前記第一作用腕に固設された第一切断刃（１７）と、
前記第一切断刃とで電線の被覆を剥離する第二切断刃（１６）と、
前記第二切断刃を前記第二作用腕とで固設する第一支持板と
を具備する電線被覆ストリッパであって、
前記第二切断刃に一体又は別体として突設された規制片（１８）と、
前記第一支持板に凹設又は穿設され、前記規制片と嵌合可能な規制片第一支持板嵌合部とを
有することを特徴とする電線被覆ストリッパ。
【請求項４】
前記規制片が略楕円形に突設されており、前記規制片第一切断刃嵌合部が略楕円形に穿設されていることを特徴とする請求項１に記載の電線被覆ストリッパ。
【請求項５】
前記第二切断刃との噛合方向に長い長孔（１７４）が前記第一切断刃に穿設され、前記長孔に第一固定螺子（１５）が挿通され前記第一切断刃が固定されていることを特徴とする請求項１、請求項２、請求項４のいずれかに記載の電線被覆ストリッパ。
【請求項６】
前記第一切断刃の長手方向に突設された第一切断刃突出部（１７１）を有することを特徴とする請求項１、請求項２、請求項４のいずれかに記載の電線被覆ストリッパ。
【請求項７】
前記第一切断刃及び前記第二切断刃の対向する刃先にそれぞれ大小２種類の半円状の第一切断刃の第一切断刃切欠（１７３）及び第二切断刃の第二切断刃切欠（１６３）が凹設されていることを特徴とする請求項１から請求項６のいずれかに記載の電線被覆ストリッパ。
【発明の詳細な説明】
【技術分野】
【０００１】
本発明は、電線の被覆を剥離して、内部の芯線を露出させる作業を行うときに、使用される電線被覆ストリッパに関する。
【背景技術】
【０００２】
一対の把持部を握って回動操作し、連動する切断刃によって、電線の被覆を剥離し、さらに把持部を強く握ることにより被覆の剥離箇所から先の部分を除去して内部の芯線を露出させるストリッパは種々知られている。
【０００３】
例えば、特許文献１には、可動挟持片と固定受け部とで電線を挟み、第一切断刃と第二切断刃とで電線の被覆を剥離し、可動挟持片と第二切断刃を離れるようにして剥離した電線被覆の先の部分を除去するストリッパが開示されている。
【先行技術文献】
【特許文献】
【０００４】
【特許文献１】実公平７−３６４１８
【発明の概要】
【発明が解決しようとする課題】
【０００５】
しかしながら、先行特許文献１に記載のストリッパでは、可動挟持片と固定受け部とにより電線を下方向で挟持するものの、力を入れて電線の被覆を剥離するときに、二つの切断刃の位置関係が左右方向にずれることがあった。
【０００６】
そのため、電線の被覆が完全に剥離できず、一部で繋がったままであるため、再度剥離しなければならず作業効率が悪くなる、または、内皮、芯線にキズが付くことがあった。
【０００７】
そして、使用を重ねると、少なくとも一つの切断刃に蓄積された負荷によりその負荷がかかった切断刃にずれや傾きが生じ、被覆電線の被覆を残さない、又は切断しすぎないという過不足なく適切に剥離するためには、変位した切断刃の位置調整を精密に行う必要があるため、熟練した技術を要し、そして、メーカーなどに修理に出す必要があるため、修理に多大な時間及び多額な費用を要していた。
【０００８】
そのため、本発明において、電線の被覆を剥離するときに、二つの切断刃の位置関係が左右方向にずれないようにし、一度の操作で被覆を確実に剥離することができ、さらには使用を重ねても少なくとも一つの切断刃のずれや傾きについての調整を行う必要のないメンテナンスフリーであり、そして、使用により摩耗した切断刃の交換をその切断刃の費用のみという安価にそして容易に行うことができるため熟練した技術を要せず、メーカーなどでの修理の時間も要さない電線被覆ストリッパを提供することを目的とする。
【課題を解決するための手段】
【０００９】
すなわち、請求項１に記載の発明は、枢軸（３）を挿通された一対の第一把持部（１１）及び第二把持部（２１）の操作により、互いに離れて揺動可能である対向する第一作用腕（１２）及び第二作用腕（２２）と、前記第一作用腕に固設された第一切断刃（１７）と、前記第一切断刃とで電線の被覆を剥離する第二切断刃（１６）と、前記第一切断刃を前記第一作用腕に固設する第一支持板（１３）とを具備する電線被覆ストリッパであって、前記第一支持板に一体又は別体として突設された規制片（１８）と、前記第一切断刃に凹設又は穿設され、前記規制片と嵌合可能な規制片第一切断刃嵌合部（１７２）とを有することを特徴とする電線被覆ストリッパである。
【００１０】
そして、請求項２に記載の発明は、枢軸を挿通された一対の第一把持部（１１）及び第二把持部（２１）の操作により、互いに離れて揺動可能である対向する第一作用腕（１２）及び第二作用腕（２２）と、前記第一作用腕に固設された第一切断刃（１７）と、前記第一切断刃とで電線の被覆を剥離する第二切断刃（１６）と、前記第一切断刃を前記第一作用腕とで固設する第一支持板（１３）とを具備する電線被覆ストリッパであって、前記第一切断刃に一体又は別体として突設された規制片（１８）と、前記第一支持板に凹設又は穿設され、前記規制片と嵌合可能な規制片第一支持板嵌合部とを有することを特徴とする電線被覆ストリッパである。
【００１１】
そして、請求項３に記載の発明は、枢軸を挿通された一対の第一把持部（１１）及び第二把持部（２１）の操作により、互いに離れて揺動可能である対向する第一作用腕（１２）及び第二作用腕（２２）と、前記第一作用腕に固設された第一切断刃（１７）と、前記第一切断刃とで電線の被覆を剥離する第二切断刃（１６）と、前記第二切断刃を前記第二作用腕とで固設する第一支持板とを具備する電線被覆ストリッパであって、前記第二切断刃に一体又は別体として突設された規制片（１８）と、前記第一支持板に凹設又は穿設され、前記規制片と嵌合可能な規制片第一支持板嵌合部とを有することを特徴とする電線被覆ストリッパである。
【００１２】
そして、請求項４に記載の発明は、前記規制片が略楕円形に突設されており、前記規制片第一切断刃嵌合部が略楕円形に穿設されていることを特徴とする請求項１に記載の電線被覆ストリッパである。
【００１３】
そして、請求項５に記載の発明は、前記第二切断刃との噛合方向に長い長孔（１７４）が前記第一切断刃に穿設され、前記長孔に第一固定螺子（１５）が挿通され前記第一切断刃が固定されていることを特徴とする請求項１、請求項２、請求項４のいずれかに記載の電線被覆ストリッパである。
【００１４】
そして、請求項６に記載の発明は、前記第一切断刃の長手方向に突設された第一切断刃突出部（１７１）を有することを特徴とする請求項１、請求項２、請求項４のいずれかに記載の電線被覆ストリッパである。
【００１５】
そして、請求項７に記載の発明は、前記第一切断刃及び前記第二切断刃の対向する刃先にそれぞれ大小２種類の半円状の第一切断刃の第一切断刃切欠（１７３）及び第二切断刃の第二切断刃切欠（１６３）が凹設されていることを特徴とする請求項１から請求項６のいずれかに記載の電線被覆ストリッパである。
【発明の効果】
【００１６】
請求項１から請求項４のいずれかに記載の電線被覆ストリッパによれば、電線の被覆を剥離するときに、二つの切断刃の位置関係が左右方向にずれないようにし、一度の操作で被覆を確実に剥離することができ、さらには使用を重ねても少なくとも一つの切断刃のずれや傾きについての調整を行う必要のないメンテナンスフリーであり、そして、使用により摩耗した切断刃の交換をその切断刃の費用のみという安価にそして容易に行うことができるため熟練した技術を要せず、メーカーなどでの修理の時間も要さない。
【００１７】
また、請求項５に記載の電線被覆ストリッパによれば、さらに、第一切断刃を第二切断刃の噛合方向に動かすことができ、太さの異なる電線に対しても一度の操作で被覆を確実に剥離することができる。そして、メーカーによって被覆の厚みが異なる被覆電線であっても、第一切断刃と第二切断刃との間隔を調整することにより、過不足なく被覆を剥離することができる。
【００１８】
また、請求項６に記載の電線被覆ストリッパによれば、さらに、簡単に第一切断刃を第二切断刃の噛合方向に動かすときに、指を怪我することなく、また、少しの移動距離でも操作しやすくすることができる。
【００１９】
また、請求項７に記載の電線被覆ストリッパによれば、さらに、電線が２層の被覆で形成されているとき、大きい方の切欠で外皮を剥離し、小さい方の切欠で内皮を剥離することができるので、一つの電線被覆ストリッパで作業ができるので作業効率を向上させることができる。
【図面の簡単な説明】
【００２０】
【図１】本発明の第一実施形態における電線被覆ストリッパの正面側から見た斜視図である。
【図２】本発明の第一実施形態における電線被覆ストリッパの背面側から見た斜視図である。
【図３】本発明の第一実施形態における電線被覆ストリッパの正面図である。
【図４】本発明の第一実施形態における電線被覆ストリッパの右側面図である。
【図５】本発明の第一実施形態における電線被覆ストリッパの左側面図である。
【図６】本発明の第一実施形態における電線被覆ストリッパの第一切断刃及び第二切断刃近傍の拡大斜視図である。
【図７】（ａ）本発明の第一実施形態における電線被覆ストリッパの第一切断刃及び第二切断刃近傍の拡大正面図である。（ｂ）本発明の第一実施形態における電線被覆ストリッパの第一切断刃及び第二切断刃近傍の拡大右側面図である。
【図８】本発明の第一実施形態における電線被覆ストリッパの第一切断刃を上に移動させた状態での第一切断刃及び第二切断刃近傍の拡大斜視図である。
【図９】（ａ）本発明の第一実施形態における電線被覆ストリッパの第一切断刃を上に移動させた状態での第一切断刃及び第二切断刃近傍の拡大正面図である。（ｂ）本発明の第一実施形態における電線被覆ストリッパの第一切断刃を上に移動させた状態での第一切断刃及び第二切断刃近傍の拡大右側面図である。
【図１０】（ａ）本発明の第一実施形態における電線被覆ストリッパに電線を載置させた状態での正面図である。（ｂ）本発明の第一実施形態における電線被覆ストリッパに電線を載置させた状態での右側面図である。（ｃ）本発明の第一実施形態における電線被覆ストリッパに電線を載置させた状態での正面側から見た斜視図である。
【図１１】（ａ）本発明の第一実施形態における電線被覆ストリッパにおいて電線の外皮を剥離した状態での正面図である。（ｂ）本発明の第一実施形態における電線被覆ストリッパにおいて電線の外皮を剥離した状態での右側面図である。（ｃ）本発明の第一実施形態における電線被覆ストリッパにおいて電線の外皮を剥離した状態での正面側から見た斜視図である。
【図１２】（ａ）本発明の第一実施形態における電線被覆ストリッパに外皮を剥離した電線を載置させた状態での正面図である。（ｂ）本発明の第一実施形態における電線被覆ストリッパに外皮を剥離した電線を載置させた状態での右側面図である。（ｃ）本発明の第一実施形態における電線被覆ストリッパに外皮を剥離した電線を載置させた状態での正面側から見た斜視図である。
【図１３】（ａ）本発明の第一実施形態における電線被覆ストリッパにおいて電線の内皮を剥離した状態での正面図である。（ｂ）本発明の第一実施形態における電線被覆ストリッパにおいて電線の内皮を剥離した状態での右側面図である。（ｃ）本発明の第一実施形態における電線被覆ストリッパにおいて電線の内皮を剥離した状態での正面側から見た斜視図である。
【図１４】（ａ）本発明の第一実施形態における電線被覆ストリッパの第一切断刃及び第二切断刃の右側面図である。（ｂ）本発明の第一実施形態における電線被覆ストリッパの第一切断刃及び第二切断刃の左側面図である。
【図１５】本発明の第二実施形態における電線被覆ストリッパの正面側から見た斜視図である。
【図１６】本発明の第二実施形態における電線被覆ストリッパの正面図である。
【図１７】本発明の第二実施形態における電線被覆ストリッパの右側面図である。
【図１８】本発明の第二実施形態における電線被覆ストリッパにおいて電線の外皮を剥離した状態での正面図である。
【図１９】本発明の第二実施形態における電線被覆ストリッパにおいて電線の外皮を剥離した状態での右側面図である。
【図２０】本発明の第三実施形態における電線被覆ストリッパの正面側から見た斜視図である。
【図２１】本発明の第三実施形態における電線被覆ストリッパの正面図である。
【図２２】本発明の第三実施形態における電線被覆ストリッパの右側面図である。
【図２３】本発明の第三実施形態における電線被覆ストリッパにおいて電線の外皮を剥離した状態での正面図である。
【図２４】本発明の第三実施形態における電線被覆ストリッパにおいて電線の外皮を剥離した状態での右側面図である。
【発明を実施するための形態】
【００２１】
以下、本発明に係る電線被覆ストリッパに関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。
【００２２】
本件出願において、「上」、「下」、「左」、「右」、「前」、「後」は、原則としてそれぞれ第一実施形態においては図４、第二実施形態においては図１６、第三実施形態においては図２１における「上」、「下」、「左」、「右」、「前」、「後」を示し、「前」は紙面から手前側、「後」は紙面から向こう側を意味する。
【００２３】
＜第一実施形態＞
図１〜図１４は、本発明の第一実施形態を示すものであり、斜視図、正面図、側面図及びそれらの部分拡大図等である。図１〜図５に示されているものが、電線被覆ストリッパ１の外観であり、図６〜図９に、その第二切断刃１６及び第一切断刃１７近傍を拡大した各図、図１０〜図１３に、電線被覆ストリッパの使用方法を示す説明に関する各図、図１４に第一切断刃１７及び第二切断刃１６の左右側面図を示している。
【００２４】
電線被覆ストリッパ１は、一対の第一把持部１１及び第二把持部２１をそれら一端部において同軸上に重ね合わせ、これに共通の枢軸３を挿入し、さらに、第一作用腕１２が、第一把持部１１に第一リンク部１４介して連動し、第二作用腕２２が第二把持部２１に第二リンク部２４を介して連動することにより、第一作用腕１２及び第二作用腕２２が、それぞれ互いに離れて揺動可能な概略構造となっている。また、第一把持部１１及び第二把持部２１は、互いに離れる方向に付勢される付勢手段であるバネ４が上部に嵌着されている。そのため、第一把持部１１及び第二把持部２１を握らない状態では、第一作用腕１２及び第二作用腕２２は、互いに対接した状態にある。
【００２５】
第一把持部１１は、略７字状の形状をしており、多角形の下端に段差を設け延設された形状の腹板６と背板７とに覆われる一端部において穿孔（図示しない）を有し、その穿孔に腹板６と背板７とを挿通する枢軸３が挿通される。また、第一把持部１１の上部では、第一リンク部１４と回動可能に着設されている。第一把持部１１の上部付近から他端部にかけて、使用者が持ち易いように高分子材料により覆われている。
【００２６】
第二把持部２１は、第一把持部１１と鏡像となる略７字状の形状をしており、多角形の下端が延設された形状の腹板６と背板７とに覆われる一端部において穿孔（図示しない）を有し、その穿孔に腹板６と背板７とを挿通する枢軸３が挿通される。また、第二把持部２１の上部では、第二リンク部２４と回動可能に着接されている。第二把持部２１の上部付近から他端部にかけて、使用者が持ち易いように高分子材料により覆われている。
【００２７】
第一作用腕１２は、略Ｆ字状の形状をしており、その開口部が左方向に位置するように、腹板６と背板７の上部から出るように設けられており、その下部が、腹板６と背板７に覆われるように設けられている。
【００２８】
第二作用腕２２は、第一作用腕１２と鏡像となる略Ｆ字状の形状をしており、その開口部が左方向に位置するように、腹板６と背板７の上部から出るように設けられており、その下部が、腹板６と背板７に覆われるように設けられている。また、第二作用腕２２には、開口部の下方に前後幅が広く、凹凸形状を有する固定受け部２２１が設けられている。この固定受け部２２１により、可動挟持片２６と協働して電線８をしっかりと挟持することができる。
【００２９】
第二切断刃１６は、略Ｌ字状の形状をしており、第一作用腕１２に摺動可能に付設し、刃先  には半円状に切り欠かれた規制片第二切断刃嵌合部１６２と、規制片第二切断刃嵌合部１６２を挟んで大小２種類の半円状に切り欠かれた第二切断刃切欠１６３を有する。本実施形態では、大きい第二切断刃切欠１６３が３つ、小さい第二切断刃切欠１６３が３つ存在するが、大小２種類に限らず、１種類又は３種類以上の大きさの切欠でもよく、切欠の数はこれに限定されるものではない。また、また、下端部には、突起状の第二切断刃突出部１６１が左方向に突出しており、第一リンク部１４と係止している。
【００３０】
第一切断刃１７は、略矩形をしており、第一作用腕１２に付設し、刃先にはＵ字状に切り欠かれた規制片第一切断刃嵌合部１７２と、凹設された規制片固定刃嵌合部１７２を挟んで大小２種類の半円状に切り欠かれた第一切断刃切欠１７３を有する。第二切断刃切欠１６３と第一切断刃切欠１７３が合わさることにより、大小２種類の略円形の隙間ができ、この隙間に電線８を載置させて電線８の外皮８１、又は、内皮８２を剥離することができる。本実施形態では、大きい第一切断刃切欠１７３が３つ、小さい第一切断刃切欠１７３が３つ存在するが、大小２種類に限らず、第二切断刃切欠１６３に対応する限りにおいて１種類又は３種類以上の大きさの切欠でもよく、切欠の数はこれに限定されるものではない。また、第一切断刃１７の下部には、上下方向、すなわち、第二切断刃１６の摺動方向に長い長孔１７４が穿設されている。この長孔１７４により、第一切断刃１７を、上下方向に動かすことができ、太さの異なる電線８に対しても一度の剥離で外皮８１を確実に剥離することができる。本実施形態において、長孔１７４の数が２つであるが、３つ以上でもよく特に限定されない。図６及び図７（ａ）（ｂ）には、第一切断刃１７が最も下の位置にあるときの状態を示しており、０．１〜０．５ｍｍの隙間が空いていることが好ましく、０．２〜０．４ｍｍの隙間が空いていることがさらに好ましい。また、図８及び図９（ａ）（ｂ）には、第一切断刃１７が最も上の位置にあるときの状態を示しており、第二切断刃１６と当接する、又はほとんど隙間がない状態である。なお、本実施形態における規制片第一切断刃嵌合部１７２の形状は、凹設された形状、すなわちＵ字状に切り欠かれた形状に限定されるものではなく、他の実施形態において、他の規制片と嵌合する限りにおいて刃に穿設された円形孔、略楕円形孔、角形孔などでも良い。そして、さらなる他の実施形態において、第一切断刃１７に規制片を突設し、その規制片と嵌合可能な規制片第一支持板嵌合部を第一支持板に設けて、第一切断刃と第二切断刃との位置関係が左右方向にずれないようにすることもできる。
【００３１】
また、長孔１７４よりも下部に、第一切断刃１７の長手方向、すなわち、図４における左方向に突設された第一切断刃突出部１７１を有する。第一切断刃突出部１７１により、簡単に第一切断刃１７を第二切断刃１６の摺動方向に動かすときに、指を怪我することなく、また、少しの移動距離でも操作しやすくすることができる。本実施形態では、第一切断刃突出部１７１の形状は、略矩形として突出しているが、半円形、円形、三角形、台形、その他の多角形など特に限定されない。
【００３２】
可動挟持片２６は、略Ｌ字状の形状をしており、固定受け部２２１と対向する部分は平面形状を有し、第二作用腕２２に摺動可能に付設し、その平面形状部分には複数の微小突起を有している。この可動挟持片２６により、固定受け部２２１と協働して電線８をしっかりと挟持することができる。また、下端部には、突起状の可動挟持片突出部２６１が左方向に突出しており、第二リンク部２４と係止している。
【００３３】
第一支持板１３は、略Ｆ字状の形状をしており、その開口部が左方向に位置するように、第二切断刃１６及び第一切断刃１７を第一作用腕１２とで挟むように位置し、第一切断刃１７の長孔１７４を挿通して第一作用腕１２に螺着される第一固定螺子１５によって固定されている。また、第一支持板１３には、規制片第一切断刃嵌合部１７２と嵌合可能に突起している略楕円柱形状の規制片１８を有しており、この規制片１８により、電線８の外皮８１又は内皮８２を剥離するときに第一切断刃１７に負荷が掛かっても上下方向にも左右方向にもずれないようにすることができ、一度の剥離で電線の外皮８１又は内皮８２を確実に剥離することができる。そして、規制片１８が第一切断刃１７の規制片第一切断刃嵌合部１７２と嵌合しうることにより、使用を重ねても第一切断刃の位置調整や修理を行う必要のないメンテナンスフリーとすることができる。また、規制片１８は、第一支持板１３に一体として設けることもできるし、別体として設けることができる。なお、規制片１８を第一支持板１３とは別体として設ける場合、第一作用腕１２の開口部に設けることができる。なお、本実施形態における規制片１８の形状は、略楕円柱形状に限定されるものではなく、他の実施形態において、他の円形孔、角形孔などの穿孔である規制片第一切断刃嵌合部と嵌合する限りにおいて、突設された円柱形状、略楕円形孔、角柱形状などの形状でも良い。そして、さらなる他の実施形態において、第二切断刃を第二作用腕とで固設する第一支持板に設けられ円柱形状、略楕円柱形状、角柱形状などの形状を有する規制片を、第二切断刃１６に突設し、その規制片と嵌合可能な規制片第一切断刃嵌合部を第一切断刃に設けて、第一切断刃と第二切断刃との位置関係が左右方向にずれないようにすることもできる。その他、規制片を別の部材として、その規制片を規制片第一切断刃嵌合部と規制片第一支持板嵌合部とで固定して、第一切断刃と第二切断刃との位置関係が左右方向にずれないようにすることもできる。
【００３４】
第二支持板２３は、第一支持板１３とおおよそ鏡像となる略Ｆ字状の形状をしており、その開口部が左方向に位置するように、可動挟持片２６を第二作用腕２２とで挟むように位置し、第二作用腕２２に螺着される第二固定螺子２５によって固定されている。
【００３５】
第一リンク部１４は、細長い略楕円形状であり、両端部に穿孔（図示しない）があり、一端にある穿孔が第一把持部１１の上部と回動可能に着設されており、他端にある穿孔が第二切断刃突出部１６１と係止している。この第一リンク部１４により、第一把持部１１を握ると、第二切断刃１６が下方、すなわち、第一切断刃１７に近づく方向に動くことができる。
【００３６】
第二リンク部２４は、細長い略楕円形状であり、両端部に穿孔（図示しない）があり、一端にある穿孔が第二把持部２１の上部と回動可能に着設されており、他端にある穿孔が可動挟持片突出部２６１と係止している。この第二リンク部２４により、第二把持部２１を握ると、可動挟持片２６が下方、すなわち、固定受け部２２１に近づく方向に動くことができる。
【００３７】
枢軸３は、螺子として背板７の中央部から挿入し、第一把持部１１の一端部における穿孔（図示しない）、第二把持部２１の一端部における穿孔（図示しない）に挿通され、腹板６の中央部から突出し円筒状のバネ留５に螺着される。本実施形態で、枢軸３は螺子として示されているが、螺子を有さない円柱状、角柱状の棒状のものであってもよく、電線被覆ストリッパ１を固定できる手段を有していればよい。
【００３８】
次に、本発明の電線被覆ストリッパの使用方法を説明する。
【００３９】
図１０（ａ）（ｂ）（ｃ）に示すように、電線８を固定受け部２２１に載置する。そして、第一把持部１１及び第二把持部２１を握ることにより、第一リンク部１４及び第二リンク部２４を介して第一把持部１１及び第二把持部２１と連動する第二切断刃１６及び可動挟持片２６が電線８を挟持するように移動する。電線８は、固定受け部２２１と可動挟持片２６とにしっかりとされた状態で、大きい第二切断刃切欠１６３と第一切断刃切欠１７３とで、外皮８１が剥離される。
【００４０】
そして、図１１（ａ）（ｂ）（ｃ）に示すように、第一把持部１１及び第二把持部２１をさらに強く握ることにより、互いに対接していた第一作用腕１２及び第二作用腕２２が互いに離れて揺動するとともに、剥離された外皮８１が、第二切断刃１６及び第一切断刃１７にしごかれて電線８より取り外される。
【００４１】
そして、図１２（ａ）（ｂ）（ｃ）に示すように、外皮８１を除去した電線８を固定受け部２２１に載置する。そして、第一把持部１１及び第二把持部２１を握ることにより、第一リンク部１４及び第二リンク部２４を介して第一把持部１１及び第二把持部２１と連動する第二切断刃１６及び可動挟持片２６が電線８を挟持するように移動する。外皮８１を除去した電線８は、固定受け部２２１と可動挟持片２６とにしっかりとされた状態で、小さい第二切断刃切欠１６３と第一切断刃切欠１７３とで、内皮８２が剥離される。
【００４２】
そして、図１３（ａ）（ｂ）（ｃ）に示すように、第一把持部１１及び第二把持部２１をさらに強く握ることにより、互いに対接していた第一作用腕１２及び第二作用腕２２が互いに離れて揺動するとともに、剥離された内皮８２が、第二切断刃１６及び第一切断刃１７にしごかれて電線８より取り外され、芯線８３が露出する。
【００４３】
＜第二実施形態＞
図１５〜図１７は、本発明の第二実施形態を示すものであり、電線被覆ストリッパ１の外観をあらわす斜視図、正面図、側面図である。
【００４４】
電線被覆ストリッパ１は、一対の第一把持部１１及び第二把持部２１を重ね合わせ、これらに貫通する枢軸３を挿入し、さらに、第一作用腕１２が、第一把持部１１と一体として設けられ、第二作用腕２２が第二把持部２１に第二リンク部２４を介して連動することにより、第一作用腕１２及び第二作用腕２２が、それぞれ互いに離れて揺動可能な概略構造となっている。
【００４５】
第一把持部１１は、第一作用腕１２と一体として成形されているため電線被覆ストリッパ１において最も大きい部材であり、第一作用腕１２と一体として平面視において略Ｌ字状の形状を有している。また、第一把持部１１は第二把持部２１の端部と当接する箇所に枢軸３が挿通される。
【００４６】
第二把持部２１は、略ヘの字状の形状をしており、第一把持部１１と当接する端部において枢軸３が挿通される。また、第二把持部２１の中間部分に、略コの字状の第二リンク部２４が枢着されている。
【００４７】
第一作用腕１２は、平面視において第一把持部１１と一体として略Ｌ字状の形状をしており、第一作用腕１２だけでは略Ｌ字状の短い辺に相当する。第一作用腕１２には溝が設けられており、その溝に第一切断刃１７及び第一支持板１３が第一固定螺子１５によって固定されている。
【００４８】
第二作用腕２２は、平面視において略Ｌ字状の形状をしており、その一端部において第二リンク部２４の端部と枢着し、他端部において第二切断刃１６が第二固定螺子２５により固設されている。
【００４９】
第二切断刃１６は、平板状の略矩形をしており、第二作用腕２２の他端部に第二固定螺子２５により固設され、刃先には半円状に切り欠かれた規制片第二切断刃嵌合部１６２と、規制片第二切断刃嵌合部１６２を挟んで大小２種類の半円状に切り欠かれた第二切断刃切欠１６３を有する。本実施形態では、大きい第二切断刃切欠１６３が３つ、小さい第二切断刃切欠１６３が３つ存在するが、大小２種類に限らず、１種類又は３種類以上の大きさの切欠でもよく、切欠の数はこれに限定されるものではない。
【００５０】
第一切断刃１７は、平板状の略矩形をしており、第一作用腕１２の他端部に第一固定螺子１５により固設され、刃先にはＵ字状に切り欠かれた規制片第一切断刃嵌合部１７２と、凹設された規制片第一切断刃嵌合部１７２を挟んで大小２種類の半円状に切り欠かれた第一切断刃切欠１７３を有する。第二断刃切欠１６３と第一切断刃切欠１７３が合わさることにより、大小２種類の略円形の隙間ができ、この隙間に電線８を載置させて電線８の外皮８１、又は、内皮８２を剥離することができる。本実施形態では、大きい第一切断刃切欠１７３が３つ、小さい第一切断刃切欠１７３が３つ存在するが、大小２種類に限らず、第二切断刃切欠１６３に対応する限りにおいて１種類又は３種類以上の大きさの切欠でもよく、切欠の数はこれに限定されるものではない。本実施形態において図示しないが、第１実施形態の長孔１７４と同様の長孔が２つ設けられている。本実施形態においても、第１実施形態の図６及び図８と同様に、第一切断刃１７が上下することができ、第二切断刃１６との間隔を調整することができる。なお、本実施形態における規制片第一切断刃嵌合部１７２の形状は、凹設された形状、すなわちＵ字状に切り欠かれた形状に限定されるものではなく、他の実施形態において、他の規制片と嵌合する限りにおいて刃に穿設された円形孔、略楕円形孔、角形孔などでも良い。そして、さらなる他の実施形態において、第二切断刃１７に規制片を突設し、その規制片と嵌合可能な規制片第一支持板嵌合部を第一支持板に設けて、第一切断刃と第二切断刃との位置関係が左右方向にずれないようにすることもできる。
【００５１】
また、図示しない長孔よりも下部に、第一切断刃１７の長手方向、すなわち、図１６における右方向に突設された第一切断刃突出部１７１を有する。第一切断刃突出部１７１により、簡単に第一切断刃１７を第二切断刃１６との噛合方向に動かすときに、指を怪我することなく、また、少しの移動距離でも操作しやすくすることができる。本実施形態では、第一切断刃突出部１７１の形状は、略矩形として突出しているが、半円形、円形、三角形、台形、その他の多角形など特に限定されない。
【００５２】
可動挟持片２６は、平面視において略Ｌ字状の形状をしており、中間部においては枢軸３が貫通しており、第一作用腕２２と対向する部分は平面形状を有し、その平面形状部分より立設する立設部において複数の微小突起を有している。この可動挟持片２６により、第一作用腕２２と協働して電線８をしっかりと挟持することができる。また、平面形状を有する部分とは反対の端部には、第二リンク部２４と枢着軸を介して係止している。
【００５３】
第一支持板１３は、平面視において略Ｔ字状の形状をしており、第一作用腕１２に螺着される第一固定螺子１５によって固定されている。また、第一支持板１３には、規制片第一切断刃嵌合部１７２と嵌合可能に突起している略楕円柱形状の規制片１８を有しており、この規制片１８により、電線８の外皮８１又は内皮８２を剥離するときに第一切断刃１７に負荷が掛かっても図１６における上下方向にも左右方向にもずれないようにすることができ、一度の剥離で電線の外皮８１又は内皮８２を確実に剥離することができる。そして、規制片１８が第一切断刃１７の規制片第一切断刃嵌合部１７２と嵌合しうることにより、使用を重ねても第一切断刃又は第二切断刃の位置調整や修理を行う必要のないメンテナンスフリーとすることができる。また、規制片１８は、第一支持板１３に一体として設けることもできるし、別体として設けることができる。なお、規制片１８を第一支持板１３とは別体として設ける場合、第一作用腕１２の開口部に設けることができる。なお、本実施形態における規制片１８の形状は、略楕円柱形状に限定されるものではなく、他の実施形態において、他の円形孔、角形孔などの穿孔である規制片第一切断刃嵌合部と嵌合する限りにおいて、突設された円柱形状、略楕円形孔、角柱形状などの形状でも良い。そして、さらなる他の実施形態において、第二切断刃を第二作用腕とで固設する第一支持板に設けられ円柱形状、略楕円柱形状、角柱形状などの形状を有する規制片を、第二切断刃１６に突設し、その規制片と嵌合可能な規制片第一切断刃嵌合部を第一切断刃に設けて、第一切断刃と第二切断刃との位置関係が左右方向にずれないようにすることもできる。その他、規制片を別の部材として、その規制片を規制片第一切断刃嵌合部と規制片第一支持板嵌合部とで固定して、第一切断刃と第二切断刃との位置関係が左右方向にずれないようにすることもできる。
【００５４】
第二リンク部２４は、略コの字状の形状であり、両端部に穿孔（図示しない）があり、一端にある穿孔が第二把持部２１と回動可能に着設されており、他端にある穿孔が、第二作用腕２２と枢着軸により枢着し可動挟持片２６と枢着軸を介して係止している。この第二リンク部２４により、第二把持部２１を握ると、第二作用腕２２が第一切断刃１７に近づく方向に動き、第二把持部２１をさらに強く握ると、第一切断刃１７から遠ざかる方向、すなわち、図１７における右方向に動くことができる。
【００５５】
枢軸３は、ピンとして第一把持部１１における穿孔（図示しない）、第二把持部２１の一端部における穿孔（図示しない）に挿通され、枢着される。
【００５６】
次に、本発明の電線被覆ストリッパの使用方法を説明する。
【００５７】
図１８、図１９に示すように、電線８を第一切断刃１７と第二切断刃１６とで挟持し、第一把持部１１及び第二把持部２１を握ることにより、第二リンク部２４を介して第二把持部２１に連動する第二切断刃１６の大きい第二切断刃切欠１６３と第一切断刃１７の第一切断刃切欠１７３とで電線８の外皮８１を切断し、さらに、第一把持部１１及び第二把持部２１を強く握ることにより、第二作用腕２２が第一切断刃１７から遠ざかる方向に動くので切断された外皮８１の短い方は電線８より剥離される。
【００５８】
そして、第一実施形態の図１２及び図１３と同様に、電線８の内皮８２を剥離し、芯線８３を露出させることができる。
【００５９】
＜第三実施形態＞
図２０〜図２２は、本発明の第二実施形態を示すものであり、電線被覆ストリッパ１の外観をあらわす斜視図、正面図、側面図である。
【００６０】
電線被覆ストリッパ１は、一対の第一把持部１１及び第二把持部２１を重ね合わせ、これらに貫通する枢軸３を挿入し、さらに、第一作用腕１２及び第二作用腕２２が第二把持部２１に第二リンク部２４を介して連動することにより、第一作用腕１２及び第二作用腕２２が、それぞれ互いに離れて揺動可能な概略構造となっている。
【００６１】
第一把持部１１は、第二把持部２１とともに使用者が握る部分であり、平面視において略Ｉ字状の形状を有している。また、第一把持部１１は第二把持部２１の端部と当接する箇所に枢軸３が挿通される。
【００６２】
第二把持部２１は、略ヘの字状の形状をしており、第一把持部１１と当接する端部において枢軸３が挿通される。また、第二把持部２１の中間部分に、略コの字状の第二リンク部２４が枢着されている。
【００６３】
第一作用腕１２は、平面視において略Ｌ字状の形状をしており、中間部においては枢軸３が貫通しており、その一端部において第二リンク部２４の端部と係止し、他端部において第一切断刃１７及び第一支持板１３が第一固定螺子１５によって固設されている。
【００６４】
第二作用腕２２は、平面視において略Ｌ字状の形状をしており、その一端部において第二リンク部２４の端部と枢着し、他端部において第二切断刃１６が第二固定螺子２５により固設されている。
【００６５】
第二切断刃１６は、平板状の略矩形をしており、第二作用腕２２の他端部に第二固定螺子２５により固設され、刃先には半円状に切り欠かれた規制片第二切断刃嵌合部１６２と、規制片第二切断刃嵌合部１６２を挟んで大小２種類の半円状に切り欠かれた第二切断刃切欠１６３を有する。本実施形態では、大きい第二切断刃切欠１６３が３つ、小さい第二切断刃切欠１６３が３つ存在するが、大小２種類に限らず、１種類又は３種類以上の大きさの切欠でもよく、切欠の数はこれに限定されるものではない。
【００６６】
第一切断刃１７は、平板状の略矩形をしており、第一作用腕１２の他端部に第一固定螺子１５により固設され、刃先にはＵ字状に切り欠かれた規制片第一切断刃嵌合部１７２と、凹設された規制片第一切断刃嵌合部１７２を挟んで大小２種類の半円状に切り欠かれた第一切断刃切欠１７３を有する。第二断刃切欠１６３と第一切断刃切欠１７３が合わさることにより、大小２種類の略円形の隙間ができ、この隙間に電線８を載置させて電線８の外皮８１、又は、内皮８２を剥離することができる。本実施形態では、大きい第一切断刃切欠１７３が３つ、小さい第一切断刃切欠１７３が３つ存在するが、大小２種類に限らず、第二切断刃切欠１６３に対応する限りにおいて１種類又は３種類以上の大きさの切欠でもよく、切欠の数はこれに限定されるものではない。本実施形態において図示しないが、第１実施形態の長孔１７４と同様の長孔が２つ設けられている。本実施形態においても、第１実施形態の図６及び図８と同様に、第一切断刃１７が上下することができ、第二切断刃１６との間隔を調整することができる。なお、本実施形態における規制片第一切断刃嵌合部１７２の形状は、凹設された形状、すなわちＵ字状に切り欠かれた形状に限定されるものではなく、他の実施形態において、他の規制片と嵌合する限りにおいて刃に穿設された円形孔、略楕円形孔、角形孔などでも良い。そして、さらなる他の実施形態において、第二切断刃１７に規制片を突設し、その規制片と嵌合可能な規制片第一支持板嵌合部を第一支持板に設けて、第一切断刃と第二切断刃との位置関係が左右方向にずれないようにすることもできる。
【００６７】
また、図示しない長孔よりも下部に、第一切断刃１７の長手方向、すなわち、図２１における右方向に突設された第一切断刃突出部１７１を有する。第一切断刃突出部１７１により、簡単に第一切断刃１７を第二切断刃１６との噛合方向に動かすときに、指を怪我することなく、また、少しの移動距離でも操作しやすくすることができる。本実施形態では、第一切断刃突出部１７１の形状は、略矩形として突出しているが、半円形、円形、三角形、台形、その他の多角形など特に限定されない。
【００６８】
第一支持板１３は、平面視において略矩形をしており、第一作用腕１２に螺着される第一固定螺子１５によって固定されている。また、第一支持板１３には、規制片第一切断刃嵌合部１７２と嵌合可能に突起している略楕円柱形状の規制片１８を有しており、この規制片１８により、電線８の外皮８１又は内皮８２を剥離するときに第一切断刃１７に負荷が掛かっても図２１における上下方向にも左右方向にもずれないようにすることができ、一度の剥離で電線の外皮８１又は内皮８２を確実に剥離することができる。そして、規制片１８が第一切断刃１７の規制片第一切断刃嵌合部１７２と嵌合しうることにより、使用を重ねても第一切断刃又は第二切断刃の位置調整や修理を行う必要のないメンテナンスフリーとすることができる。また、規制片１８は、第一支持板１３に一体として設けることもできるし、別体として設けることができる。なお、規制片１８を第一支持板１３とは別体として設ける場合、第一作用腕１２の開口部に設けることができる。なお、本実施形態における規制片１８の形状は、略楕円柱形状に限定されるものではなく、他の実施形態において、他の円形孔、角形孔などの穿孔である規制片第一切断刃嵌合部と嵌合する限りにおいて、突設された円柱形状、略楕円形孔、角柱形状などの形状でも良い。そして、さらなる他の実施形態において、第二切断刃を第二作用腕とで固設する第一支持板に設けられ円柱形状、略楕円柱形状、角柱形状などの形状を有する規制片を、第二切断刃１６に突設し、その規制片と嵌合可能な規制片第一切断刃嵌合部を第一切断刃に設けて、第一切断刃と第二切断刃との位置関係が左右方向にずれないようにすることもできる。その他、規制片を別の部材として、その規制片を規制片第一切断刃嵌合部と規制片第一支持板嵌合部とで固定して、第一切断刃と第二切断刃との位置関係が左右方向にずれないようにすることもできる。
【００６９】
第二リンク部２４は、略コの字状の形状であり、両端部に穿孔（図示しない）があり、一端にある穿孔が第二把持部２１と回動可能に着設されており、他端にある穿孔が、第二作用腕２２と枢着軸により枢着し第一作用腕１２と枢着軸を介して係止している。この第二リンク部２４により、第二把持部２１を握ると、第二作用腕２２が第一切断刃１７に近づく方向に動き、第二把持部２１をさらに強く握ると、第一切断刃１７を備える第一作用腕１２とともに第一把持部１１及び第二把持部２１の方向に、すなわち、図１７における右方向に動くことができる。
【００７０】
枢軸３は、ピンとして第一把持部１１における穿孔（図示しない）、第二把持部２１の一端部における穿孔（図示しない）に挿通され、枢着される。
【００７１】
次に、本発明の電線被覆ストリッパの使用方法を説明する。
【００７２】
図２３、図２４に示すように、電線８を第一切断刃１７と第二切断刃１６とで挟持し、第一把持部１１及び第二把持部２１を握ることにより、第二リンク部２４を介して第二把持部２１に連動する第二切断刃１６の大きい第二切断刃切欠１６３と第一切断刃１７の第一切断刃切欠１７３とで電線８の外皮８１を切断し、さらに、第一把持部１１及び第二把持部２１を強く握ることにより、第二作用腕２２が第一切断刃１７を備える第一作用腕１２とともに第一把持部１１及び第二把持部２１の方向に動くので切断された外皮８１の短い方は電線８より剥離される。
【００７３】
そして、第一実施形態の図１２及び図１３と同様に、電線８の内皮８２を剥離し、芯線８３を露出させることができる。
【符号の説明】
【００７４】
１・・・電線被覆ストリッパ
１１・・第一把持部
１２・・第一作用腕
１３・・第一支持板
１４・・第一リンク部
１５・・第一固定螺子
１６・・第二切断刃
１６１・第二切断刃突出部
１６２・規制片第二切断刃嵌合部
１６３・第二切断刃切欠
１７・・第一切断刃
１７１・第一切断刃突出部
１７２・規制片第一切断刃嵌合部
１７３・第一切断刃切欠
１７４・長孔
１８・・規制片
２１・・第二把持部
２２・・第二作用腕
２２１・固定受け部
２３・・第二支持板
２４・・第二リンク部
２５・・第二固定螺子
２６・・可動挟持片
２６１・可動挟持片突出部
３・・・枢軸
４・・・バネ
５・・・バネ留
６・・・腹板
７・・・背板
８・・・電線
８１・・外皮
８２・・内皮
８３・・芯線
【図１】
2014143893.tif 000003
【図２】
2014143893.tif 000004
【図３】
2014143893.tif 000005
【図４】
2014143893.tif 000006
【図５】
2014143893.tif 000007
【図６】
2014143893.tif 000008
【図７】
2014143893.tif 000009
【図８】
2014143893.tif 000010
【図９】
2014143893.tif 000011
【図１０】
2014143893.tif 000012
【図１１】
2014143893.tif 000013
【図１２】
2014143893.tif 000014
【図１３】
2014143893.tif 000015
【図１４】
2014143893.tif 000016
【図１５】
2014143893.tif 000017
【図１６】
2014143893.tif 000018
【図１７】
2014143893.tif 000019
【図１８】
2014143893.tif 000020
【図１９】
2014143893.tif 000021
【図２０】
2014143893.tif 000022
【図２１】
2014143893.tif 000023
【図２２】
2014143893.tif 000024
【図２３】
2014143893.tif 000025
【図２４】
2014143893.tif 000026